(57)【特許請求の範囲】
【請求項１】
放射線を検出するための電離箱（２０）であって、加圧ガスを含む電離箱（２０）と、
内部容積（１６）内に前記電離箱（２０）を収納する外側筐体（１２）であって、脆弱部（４０）を含む外側筐体（１２）と、
前記電離箱（２０）から前記外側筐体（１２）の前記脆弱部（４０）へのガス流路を画定する逃し組立体（６０）であって、前記電離箱（２０）内の前記加圧ガスが所定の圧力を越えるときに、前記加圧ガスの少なくともいくらかが前記逃し組立体（６０）を通り、前記外側筐体（１２）の前記脆弱部（４０）を通って流れ、前記加圧ガスを前記外側筐体（１２）の外部へ逃すように、前記脆弱部（４０）が前記電離箱（２０）内から圧力を逃がす、逃し組立体（６０）と、
を含む、放射線検出組立体（１０）。
【請求項２】
前記脆弱部（４０）が前記外側筐体（１２）内に成形される、請求項１に記載の放射線検出組立体（１０）。
【請求項３】
前記逃し組立体（６０）が前記外側筐体（１２）の前記内部容積（１６）内に位置決めされる、請求項１または２に記載の放射線検出組立体（１０）。
【請求項４】
前記加圧ガスが前記外側筐体（１２）の前記内部容積（１６）内へ流れ込むことを制限するように、前記逃し組立体（６０）が前記外側筐体（１２）に対してシールされる、請求項１から３のいずれかに記載の放射線検出組立体（１０）。
【請求項５】
前記逃し組立体（６０）が前記電離箱（２０）に対してシールされる、請求項４に記載の放射線検出組立体（１０）。
【請求項６】
前記外側筐体（１２）が、前記外側筐体（１２）の内面（４４）から前記内部容積（１６）内へ内向きに延在するシール突出部（４８）を含む、請求項１から５のいずれかに記載の放射線検出組立体（１０）。
【請求項７】
前記逃し組立体（６０）が、前記逃し組立体（６０）の外面に配置される肩部（８２）を含む、請求項６に記載の放射線検出組立体（１０）。
【請求項８】
前記シール突出部（４８）が前記肩部（８２）に係合して、前記肩部（８２）に対してシールを形成する、請求項７に記載の放射線検出組立体（１０）。
【請求項９】
前記肩部（８２）が弾性的に変形可能な材料を含む、請求項８に記載の放射線検出組立体（１０）。
【請求項１０】
放射線を検出するための電離箱（２０）であって、加圧ガスを含む電離箱（２０）と、
内部容積（１６）内に前記電離箱（２０）を収納する外側筐体（１２）であって、前記外側筐体（１２）内に成形される脆弱部（４０）を含む外側筐体（１２）と、
前記電離箱（２０）から前記外側筐体（１２）の前記脆弱部（４０）へのガス流路を画定する逃し組立体（６０）であって、前記逃し組立体（６０）が前記内部容積（１６）内に位置決めされ、前記外側筐体（１２）と前記電離箱（２０）のそれぞれとの間にシールを形成し、前記電離箱（２０）内の前記加圧ガスが所定の圧力を越えるときに、前記加圧ガスの少なくともいくらかが前記逃し組立体（６０）を通り、前記外側筐体（１２）の前記脆弱部（４０）を通って流れ、前記加圧ガスを前記外側筐体（１２）の外部へ逃すように、前記脆弱部（４０）が前記電離箱（２０）内から圧力を逃がす、逃し組立体（６０）と、
を含む、放射線検出組立体（１０）。
【請求項１１】
前記外側筐体（１２）が、前記外側筐体（１２）の内面（４４）から前記内部容積（１６）内へ内向きに延在するシール突出部（４８）を含む、請求項１０に記載の放射線検出組立体（１０）。
【請求項１２】
前記逃し組立体（６０）が、前記逃し組立体（６０）の外面に配置される肩部（８２）を含む、請求項１１に記載の放射線検出組立体（１０）。
【請求項１３】
前記シール突出部（４８）が前記肩部（８２）に係合して、前記肩部（８２）に対してシールを形成する、請求項１２に記載の放射線検出組立体（１０）。
【請求項１４】
前記肩部（８２）が弾性的に変形可能な材料を含む、請求項１３に記載の放射線検出組立体（１０）。
【請求項１５】
前記脆弱部（４０）が、前記外側筐体（１２）の壁の中に突出する複数のはめ込み部（４２）を含む、請求項１１から１４のいずれかに記載の放射線検出組立体（１０）。
【請求項１６】
前記はめ込み部（４２）が、脆弱壁（４６）によって前記外側筐体（１２）の前記外部から隔てられる、請求項１５に記載の放射線検出組立体（１０）。
【請求項１７】
放射線検出組立体（１０）内の圧力を下げる方法であって、
加圧ガスを含む電離箱（２０）を提供するステップと、
内部容積（１６）内に前記電離箱（２０）を収納する外側筐体（１２）であって、脆弱部（４０）を含む外側筐体（１２）を提供するステップと、
前記電離箱（２０）から前記外側筐体（１２）の前記脆弱部（４０）へのガス流路を画定する逃し組立体（６０）を提供するステップと、
前記電離箱（２０）内の前記加圧ガスが所定の圧力を越えるときに、前記加圧ガスが前記脆弱部（４０）を通って流れるように、前記脆弱部（４０）を破ることにより、前記電離箱（２０）内の圧力を下げるステップと、
を含む、方法。
【請求項１８】
前記脆弱部（４０）が前記外側筐体（１２）内に成形される、請求項１７に記載の方法。
【請求項１９】
前記電離箱（２０）内の圧力を下げるステップの前には、前記脆弱部（４０）は破れておらず、前記外側筐体（１２）の外部からの空気が前記脆弱部（４０）を通過するのを防ぐ、請求項１７または１８に記載の方法。
【請求項２０】
前記脆弱部（４０）が、前記外側筐体（１２）の壁の厚さよりも薄い厚さを有する脆弱壁（４６）を含む、請求項１７から１９のいずれかに記載の方法。
【発明の詳細な説明】
【技術分野】
【０００１】
本発明は全般的に、高圧電離箱を用いる環境放射線モニタリングに関し、詳細には、電離箱内の圧力を逃すための圧力逃し組立体に関する。
【背景技術】
【０００２】
環境放射線モニタは公知であり、ある場所の放射線量を検出するために用いられる。放射線モニタは、原子力発電所などの放射線源に近接した場所に展開して放射線レベルを監視することができる。
【０００３】
１つのタイプの放射線モニタでは、高圧電離箱などの電離箱が利用される。電離箱は密封されて、窒素ガス、アルゴン、他のガスの混合物等などのガスで満たされる。電離箱内に蓄えられたガスは、周囲圧力よりも高い圧力に保たれる。特定の状況で、電離箱内の圧力は所望の与圧を越えるレベルへ上昇する場合がある。圧力上昇が生じ得る状況には、例えば、比較的高温に曝されること、電離箱を押しつぶす力がかかることなどが含まれる。したがって、電離箱内の圧力が所望の与圧を越えて上昇したときに、圧力を安全に逃すことは必要であり、有益である。
【先行技術文献】
【非特許文献】
【０００４】
【非特許文献１】MAHLER G J ET AL: "A Portable Gamma-Ray Spectrometer Using Compressed Xenon", IEEE TRANSACTIONS ON NUCLEAR SCIENCE, IEEE SERVICE CENTER, NEW YORK, NY, US, vol. 45, no. 3, 1 June 1998 (1998-06-01), pages 1029-1033, XP011041260, ISSN: 0018-9499page 1030, right-hand column, line 19 - line 27page 1032, paragraph "V. Portable System" figure 3-5, 8
【発明の概要】
【０００５】
本発明のいくつかの例示的な態様の基本的な理解を提供するために、以下に簡単な本発明の概要を提示する。この概要は本発明を広範に概観するものではない。さらに、この概要は、本発明の重要な要素を特定したり、本発明の範囲を定めたりすることを意図するものではない。この概要の唯一の目的は、後に提示されるより詳細な説明の前置きとして、本発明のいくつかの概念を簡単な形で提示することである。
【０００６】
１つの態様によると、本発明は、放射線を検出するための電離箱であって、大量の加圧ガスを含む電離箱を含む放射線検出組立体を提供する。放射線検出組立体は、内部容積内に電離箱を収納する外側筐体を含む。外側筐体は脆弱部を含む。逃し組立体は、電離箱から外側筐体の脆弱部へのガス流路を画定する。電離箱内の加圧ガスが所定の圧力を越えるときに、加圧ガスの少なくとも一部が逃し組立体を通り、外側筐体の脆弱部を通って流れて、加圧ガスを外側筐体の外部へ逃すように、脆弱部は電離箱内から圧力を逃がす。
【０００７】
別の態様によると、本発明は、放射線を検出するための電離箱を含む放射線検出組立体を提供する。電離箱は大量の加圧ガスを含む。放射線検出組立体は、内部容積内に電離箱を収納する外側筐体を含む。外側筐体は、外側筐体内に成形される脆弱部を含む。逃し組立体は、電離箱から外側筐体の脆弱部へのガス流路を画定する。逃し組立体は、内部容積内に位置決めされ、外側筐体と電離箱のそれぞれの間にシールを形成する。電離箱内の加圧ガスが所定の圧力を越えるときに、加圧ガスの少なくともいくらかが逃し組立体を通り、外側筐体の脆弱部を通って流れ、加圧ガスを外側筐体の外部へ逃すように、脆弱部は電離箱内から圧力を逃がす。
【０００８】
別の態様によると、本発明は、放射線検出組立体内の圧力を下げる方法を提供する。本方法は、大量の加圧ガスを含む電離箱を提供するステップを含む。本方法は、内部容積内に電離箱を収納する外側筐体であって、脆弱部を含む外側筐体を提供するステップを含む。本方法は、電離箱から外側筐体の脆弱部へのガス流路を画定する逃し組立体を提供するステップも含む。本方法はさらに、電離箱内の加圧ガスが所定の圧力を越えるときに、脆弱部を破ることにより、加圧ガスが脆弱部を通って流れて電離箱内の圧力を下げるステップを含む。
【０００９】
本発明の前述および他の態様は、添付の図面を参照して以下の説明を読めば、本発明に関連する当業者には明らかになるであろう。
【図面の簡単な説明】
【００１０】
【図１】本発明の態様による例示的な電離箱を含む例示的な放射線検出組立体の部分的に切り開いた図である。
【図２】例示的な逃し組立体の図１の円内の部分２の詳細の拡大図である。
【図３】図２の線３−３に沿った逃し組立体の例示的な支持構造体の拡大平面図である。
【図４】図２の線４−４に沿った逃し組立体の例示的な脆弱部の拡大平面図である。
【図５】逃し組立体および脆弱部を通るガス流を全体的に描いている、逃し組立体および脆弱部の図２と同様な図である。
【発明を実施するための形態】
【００１１】
本発明の１つまたは複数の態様を組み込んだ例示的な実施形態が説明され、図に示される。これらの図示した例は本発明を限定することを意図していない。例えば、本発明の１つまたは複数の態様は他の実施形態で利用することができ、また他のタイプの装置であっても利用することができる。さらに、特定の用語は本明細書で単に便宜上用いられているが、本発明を限定するものとして解釈すべきではない。またさらには、図面において、同一の参照符号は同一の要素を示すために用いられる。
【００１２】
図１は、本発明の１つの態様による、部分的に切り開いた放射線検出組立体１０の例示的な実施形態を示す。図１は、可能な構造／構成の一例を単に示しており、他の例も本発明の範囲内であることを企図することを理解されたい。一般に、放射線検出組立体１０は、局所の大気中のガンマ線を監視する機能を実行するために屋外に設置される。ガンマ線の源は、わかっている場合もわかっていない場合もある。
【００１３】
放射線検出組立体１０は、外側筐体１２を含む。外側筐体１２は、内部容積１６を規定する外壁１４を含む。外側筐体１２は、他の形状も考えられるが、この例では全体的に楕円体／卵形の形状をしている。例えば、他の例では、外側筐体１２は、様々な大きさの立方体状または他の３次元多面体の形状を含む。外側筐体１２は、例示を目的として、また内部容積１６をより明瞭に示すために、図１では部分的に切り開いて示されていることを理解されたい。しかしながら、操作中、外側筐体１２は、内部容積１６が通常は見えないように完全に取り囲まれている。外壁１４は、内部容積１６を環境影響（例えば、湿気、異物など）から保護する堅くて一般には非可撓性の材料からなる。外側筐体１２は、高分子材料（例えば、プラスチックなど）、金属、組合せ材料等を含む任意の数の異なる材料を含む。
【００１４】
放射線検出組立体１０はさらに、放射線を検出するための電離箱２０を含む。電離箱２０は、外側筐体１２の内部容積１６内に含まれる／収納される。外側筐体１２に対して電離箱２０を固定するために、電離箱２０は支持構造物（締結具、ねじ、ボルトなど）を含むことができる。電離箱２０は、電離箱２０の個々の構成部品のための空間を提供する容積２２を規定する。図１の電離箱２０は、容積２２をより明瞭に示すように断面図で描かれていることを理解されたい。しかしながら、操作中、電離箱２０は、容積２２が通常は見えないように完全に取り囲まれることになる。
【００１５】
電離箱２０はいくつかの可能な配置を含むことが理解されるので、図２では幾分一般的に描かれている。１つの例では、電離箱２０は高圧電離箱（ＨＰＩＣ：ｈｉｇｈ  ｐｒｅｓｓｕｒｅ  ｉｏｎｉｚａｔｉｏｎ  ｃｈａｍｂｅｒ）を含むことができる。電離箱２０は、他の形状も考えられるが、全体的に球形の形状である。
【００１６】
電離箱２０は、陰極２４および陽極２６を含む一対の電極を含む。陰極２４は容積２２を規定する。１つの例では、陰極２４はシールされて、窒素ガス、アルゴン、他のガスの混合物等などの加圧ガスで満たされる。したがって、容積２２内のこの加圧ガスが電離箱２０から意図せずに漏れ出ることは比較的制限される。陰極２４は、ステンレス鋼、アルミニウムなどを含む金属などの様々な材料から構築することができる。
【００１７】
電離箱２０はさらに、陰極２４の容積２２内へ延在する陽極２６を含む。陽極２６は支持部材を含むことができる。したがって、陽極２６は、図示の例の大きさまたは形状に限定されない。この例では、陽極２６の断面の大きさは陰極２４より小さく、陰極２４から半径方向内側に離れて配置される。
【００１８】
一般に、陰極２４および陽極２６はそれぞれある電圧に保たれる。ガンマ線との相互作用で生じるイオンおよび電子が容積２２内に形成される。これらのイオンおよび電子は陰極２４および陽極２６の方へ引っ張られ、そこで集められて電流を発生する。増幅器２８は陰極２４および陽極２６に電気的に接続される。増幅器２８はこの電流を受け、解析して、ガンマ線線量率などの放射線に関するいくつかの測定可能な量を決定する。増幅器２８は増幅器ハウジング等の中に収納することができる。
【００１９】
次に図２を参照すると、図１の円内の部分２の詳細の拡大図が示される。この例では、外側筐体１２は脆弱部４０を含む。脆弱部４０は、外側筐体１２の外壁１４とともに成形／形成される。脆弱部４０は、脆弱部４０の内部構造をより明瞭に示すように断面で示されていることを理解されたい。しかしながら、操作中、脆弱部４０は完全に形成されている。
【００２０】
脆弱部４０は１つまたは複数のはめ込み部４２を含む。はめ込み部４２それぞれは、外壁１４の内面４４に形成された中空、または実質的に中空の空洞を画定する。したがって、はめ込み部４２は、電離箱２０からその中の加圧ガスを受けることができる。はめ込み部４２は図２に示す大きさに限定されず、他の例では、より大きい、またはより小さい断面の大きさとすることができる。さらに、はめ込み部４２は図示の位置に限定されず、外壁１４の内面４４に沿った他の位置に配置することができる。
【００２１】
はめ込み部４２は脆弱壁４６によって規定される。脆弱壁４６は、一方の側ではめ込み部４２と、反対の第２の側で放射線検出組立体１０の外部との間に位置決めされる。したがって、脆弱壁４６は、放射線検出組立体１０の外部とはめ込み部４２との間での空気および／またはガスの出／入りを少なくとも部分的に制限する。この例では、脆弱壁４６の厚さは、外側筐体１２を形成する外壁１４の厚さよりも薄い。他の例では、脆弱壁４６はこの厚さに限定されず、図示よりも厚い、または薄い厚さを含むことができる。厚さが外壁１４よりも薄いことによって、脆弱壁４６は破れることが可能となり、はめ込み部４２および電離箱２０内の所定の圧力に応じて破壊、破裂などをされることが可能となる。
【００２２】
脆弱部４０は、シール突出部４８によって規定される。シール突出部４８は、外壁１４の内面４４から内部容積１６内に電離箱２０の方へ延在する。図示の例では、シール突出部４８は、外壁１４と一体に形成／成形される。もちろん、さらなる例では、シール突出部４８はそのようには限定されず、その代わりに、外壁１４に対して別個に取り付けることもできる。１つの例では、シール突出部４８は、脆弱部４０の周りを概ね周方向に延在する。しかしながら、他の例では、シール突出部４８は円形の断面とは限定されず、その代わりに、正方形、長方形、楕円などの断面とすることができる。同様に、シール突出部４８は、図示するより長い、または短い距離を内部容積１６内に延在することができる。
【００２３】
さらに図２を参照すると、放射線検出組立体１０はさらに逃し組立体６０を含む。逃し組立体６０は、外側筐体１２の内部容積１６内に位置決めされ、一方の側で電離箱２０と、対向する他方の側で脆弱部４０との間に延在する。逃し組立体６０は、逃し組立体６０の部分の内部構造をより明瞭に示すように断面で示されていることを理解されたい。しかしながら、操作中、逃し組立体６０は完全に形成されている。
【００２４】
逃し組立体６０はチャネル構造体６２を含む。チャネル構造体６２は、電離箱２０の陰極２４に対して動作可能に取り付けられる。チャネル構造体６２は、細長く、実質的に中空で、電離箱２０から外側筐体１２の方へ延在する。この例では、チャネル構造体６２は、チャネル構造体６２の長さに沿って長手方向に延在する中空の通路６４を有する。
【００２５】
通路６４は、電離箱２０に形成された開口６６と流体連通している。したがって、通路６４は電離箱２０からガスを受けることができる。したがって、逃し組立体６０は、電離箱２０から、開口６６を通り、チャネル構造体６２を通って、脆弱部４０までのガス流路を画定する。１つの例では、チャネル構造体６２は、電離箱２０に取り付けられて、電離箱に対してシールを形成し、その結果、開口６６を通って通路６４内を流れる加圧ガスが外側筐体１２の内部容積１６へ逃げることを制限する。チャネル構造体６２と電離箱２０との間をこのようにシールして取り付けることを達成するために、任意の数のシール構造体（例えば、Ｏリング、エポキシ、接着剤など）を組み込むことができる。
【００２６】
逃し組立体６０はさらに、チャネル構造体６２を支持する（例えば、保持する、含む、など）支持構造体７０を含む。支持構造体７０は、電離箱２０から脆弱部４０の方へ延在する、細長く、実質的に中空の構造体である。支持構造体７０は、ゴム状の弾性材料（例えば、ゴムなど）などのいくつかの異なった材料を含むことができる。１つの例では、支持構造体７０は、力または圧力に応じて少なくとも部分的に弾性的に変形することが可能である。
【００２７】
支持構造体７０は実質的には中空の内部チャンバ７２を含む。内部チャンバ７２は、少なくとも部分的に支持構造体７０の長さに沿って長手方向に延在する。内部チャンバ７２は、その中にチャネル構造体６２を受け入れるような大きさおよび形状である。１つの例では、内部チャンバ７２の断面の大きさおよび形状は、チャネル構造体６２の断面の大きさと形状に実質的に一致するが、チャネル構造体６２を受け入れるようにわずかに大きくなっている。他の例では、内部チャンバ７２は、四辺形（例えば、正方形、長方形など）、円形、楕円形等などの任意の数の断面形状を含む。
【００２８】
支持壁７４は支持構造体７０の端部に配置される。図示の例では、支持壁７４は、支持構造体７０が電離箱２０に取り付けられる場所の反対側に位置決めされる。支持壁７４は内部チャンバ７２を横切って延在し、内部チャンバ７２の長手方向端部を画定する。１つの例では、支持壁７４は１つまたは複数の開口７６を含む。開口７６は、支持壁７４を貫通して内部チャンバ７２から支持壁７４の反対側へ延在する。したがって、開口７６は内部チャンバ７２および通路６４と流体連通している。したがって、開口７６は通路６４からのガス流を受け入れる。支持壁７４は、任意の数の開口７６を含むことができ、それらは、図２に示すものより断面が大きくても小さくてもよい。
【００２９】
支持壁７４は、外壁１４および脆弱部４０との間に中空チャンバ８０を画定するように、それらから距離を空けて配置される。中空チャンバ８０は、一方の側は支持壁７４によって規定され、反対側ははめ込み部４２を含む脆弱部４０によって規定される。中空チャンバ８０はシール突出部４８に周方向に取り囲まれる。したがって、中空チャンバ８０は開口７６および内部チャンバ７２と流体連通しており、その結果、中空チャンバ８０は電離箱２０からのガスを受けることができる。
【００３０】
支持構造体７０はさらに肩部８２を含む。肩部８２は、支持構造体７０の外周／外面の周りを周方向に延在する。１つの例では、肩部８２の断面の大きさ（例えば、直径、幅など）は支持構造体７０の隣接部より大きい。図示の例では、肩部８２はシール突出部４８に係合する。特に、肩部８２はシール突出部４８の形状に実質的に合っており、その結果、肩部８２とシール突出部４８との間で係合してシールを形成することになる。肩部８２とシール突出部４８との間のこのシールは、中空チャンバ８０と外側筐体１２の内部容積１６との間の空気／加圧ガスの出／入りを制限する。
【００３１】
次に図３を参照すると、逃し組立体６０の支持構造体７０の例が図２の線３−３に沿って示される。この特定の例では、支持壁７４は１６個の開口７６を含むように示される。もちろん、他の例では、支持壁７４はそのようには限定されず、その代わりに、この例で示される開口７６の数より多い、または少ない数の開口を含むことができる。同様に、支持壁７４は、図示の開口７６よりも大きな、または小さな開口７６を含むことができる。
【００３２】
次に図４を参照すると、脆弱部４０の例が示される。この特定の例では、脆弱部４０は、外壁１４の内面４４に位置決めされた４つのはめ込み部４２を含む。もちろん、他の例では、脆弱部４０はそのようには限定されず、その代わりに、この例で示されるはめ込み部４２の数より多い、または少ない数のはめ込み部４２を含むことができる。同様に、はめ込み部４２は様々な位置に配向することができ、図４に示す特定の構成に限定されない。１つの例では、はめ込み部４２は、はめ込み部４２および脆弱部４６の強度に作用するように、はめ込み部４２内に形成される肋骨状または他の型／突起を含むことができる。はめ込み部４２は図４に示す特定の型に限定されない。
【００３３】
次に図５を参照して、放射線検出組立体１０の１つの例示的な動作を次に説明する。はじめに、窒素、アルゴンなどのガスのある量が、電離箱２０の容積２２に加えられる。ガンマ線との相互作用で生じたイオンおよび電子が容積２２内に形成される。これらのイオンおよび電子は陰極２４および陽極２６の方へ引っ張られ、そこで集められて電流を発生する。
【００３４】
容積２２内に入っているガスは加圧された状態に保たれる。ある特定の例では、容積２２内の加圧ガスは所定の圧力を越える場合がある。例えば、いくつかの状況で所定の圧力を越える場合がある。１つの可能な例では、放射線検出組立体１０が比較的高温に曝されて容積２２内で圧力が上昇する場合がある。別の例では、電離箱２０を押しつぶす力がかかることによって、容積２２内の圧力が上昇して所定の圧力を越える。もちろん、圧力増大を生じさせる他の状況も起こり得るので、圧力上昇はこれらの状況に限定されない。
【００３５】
所定の圧力に達した後、電離箱２０内の加圧ガスは、逃し組立体６０を通り、脆弱部４０を通って放射線検出組立体１０の外部へ排出される。特に、ガス流１００（図５において矢印で全般的／概略的に示される）は、電離箱２０の開口６６を通り、通路６４を通り、さらに支持構造体７０の開口７６を通過する。所定の圧力を越える加圧ガスは、脆弱壁４６を破る（例えば、破壊する、破裂するなど）のに十分大きな力を脆弱壁４６に生じさせる。脆弱壁４６は、図５において破れた壁４６ａとしてやや全般的／概略的に表示される。したがって、ガス流１００は、はめ込み部４２を通過して、脆弱部４０の破れた開口９２を通って出る。破れた開口９２を通過したガス流１００は、外側筐体１２の外部へ放出され、したがって、電離箱２０内の圧力は低下する。このとき、破れた壁４６ａを含む外側筐体１２は、電離箱２０から取り外されて、破れていない脆弱壁４６を有する新しい外側筐体１２と交換される。
【００３６】
脆弱壁４６を破る電離箱２０内の所定の圧力は、任意の数値を含むことができることを理解されたい。１つの可能な例では、電離箱２０内の所定の圧力は、約２．７５メガパスカル（ＭＰａ）（約４００ｐｏｕｎｄｓ／ｉｎ2（ＰＳＩ））とすることができる。したがって、このような例では、電離箱２０内の脆弱壁４６に作用する圧力が材料の降伏応力（１５５ＭＰａ（２２，５００ＰＳＩ））以上のときに、脆弱壁４６は破れて電離箱内から圧力を逃がす。このような例では、破れた壁４６ａを通って出る加圧ガスは約２．７５ＭＰａ（約４００ＰＳＩ）である。もちろん、広い範囲の所定圧力が考えられるので、放射線検出組立体１０はこれらの値に限定されない。別の例では、脆弱壁４６の寸法（例えば、厚さ、直径など）は、脆弱壁４６が破れる前の電離箱２０の許容所定圧力を増大または減少するように変えることができる。
【００３７】
本発明は上記の例示的な実施形態を参照して説明された。本明細書を読みかつ理解すれば、第三者は修正および変更を想到するであろう。本発明の１つまたは複数の態様を組み込んだ例示的な実施形態は、添付の特許請求の範囲内にある限り、このような修正および変更のすべてを含むことを意図している。
【符号の説明】
【００３８】
２  円
３  矢印
４  矢印
１０  放射線検出組立体
１２  外側筐体
１４  外壁
１６  内部容積
２０  電離箱
２２  容積
２４  陰極
２６  陽極
２８  増幅器
４０  脆弱部
４２  はめ込み部
４４  外壁の内面
４６  脆弱壁
４６ａ  破れた壁
４８  シール突出部
６０  逃し組立体
６２  チャネル構造体
６４  通路
６６  開口
７０  支持構造体
７２  内部チャンバ
７４  支持壁
７６  開口
８０  中空チャンバ
８２  肩部
９２  破れた開口
１００  ガス流
【図１】
0006313786.tif 000002
【図２】
0006313786.tif 000003
【図３】
0006313786.tif 000004
【図４】
0006313786.tif 000005
【図５】
0006313786.tif 000006